(57)【要約】【課題】ＩＤタグからの情報と、受信したアンテナの位置情報と、受信時間の情報を有効に利用しながら、精度の高い施工管理が行えるようにする。【解決手段】ＩＤタグ２からの情報を受信自在なアンテナ１を、異なる位置に複数配置し、ＩＤタグ２は、人に装着自在な人用ＩＤタグ２Ａと、物品に装着自在な物用ＩＤタグ２Ｂとを設け、アンテナ１からの情報を記録自在な情報記録手段３Ｂは、受信したＩＤタグ情報と、その受信の際の時間情報Ｔとを対応させて記録自在に構成してあり、ＩＤタグ２の動向を検出自在な動向検出手段５は、各アンテナ１毎に受信したＩＤタグ２の情報と、時間情報Ｔとを基に、夫々のＩＤタグ２の動向を検出自在に構成してあり、情報記録手段３Ｂに記録されたデータと、動向検出手段５で検出されたデータとを基に、現場施工管理に必要な管理情報Ｎを提供自在な管理情報提供手段６を設けてある。【選択図】        図４
2004199243.tif 000002
【特許請求の範囲】
【請求項１】
情報を備えたＩＤタグを対象体に着脱自在に設け、前記ＩＤタグからの前記情報を受信自在なアンテナを施工現場に設け、前記アンテナからの前記情報を記録自在な情報記録手段を設け、前記ＩＤタグからの前記情報を表示自在な表示手段を設け、前記情報記録手段にて記録された前記情報を基に、前記ＩＤタグの動向を検出自在な動向検出手段を設けてある現場施工管理システムであって、
前記アンテナは、異なる位置に複数配置し、前記ＩＤタグは、人に装着自在な人用ＩＤタグと、物品に装着自在な物用ＩＤタグとを設け、前記情報記録手段は、前記アンテナで受信した前記ＩＤタグからの前記情報と、その受信の際の時間情報とを対応させて記録自在に構成してあり、前記動向検出手段は、前記各アンテナ毎に受信した前記ＩＤタグの前記情報と、前記時間情報とを基に、夫々の前記ＩＤタグの動向を検出自在に構成してあり、前記情報記録手段に記録されたデータと、前記動向検出手段で検出されたデータとを基に、現場施工管理に必要な管理情報を提供自在な管理情報提供手段を設けてある現場施工管理システム。
【請求項２】
前記物用ＩＤタグは、材料用ＩＤタグと施工道具用ＩＤタグとを備えてある請求項１に記載の現場施工管理システム。
【請求項３】
前記各ＩＤタグの詳細情報を納めたデータベースを設け、前記表示手段は、情報表示要求に伴って前記データベースの該当するＩＤタグに係わる詳細情報を表示自在に構成してある請求項１又は２に記載の現場施工管理システム。
【請求項４】
前記管理情報は、所定のアンテナの情報検出履歴から、そのアンテナの情報検出領域に存在したＩＤタグを時系列に整理したタイムチャートである請求項１〜３の何れかに記載の現場施工管理システム。
【請求項５】
前記管理情報は、所定のＩＤタグについて、各アンテナの情報検出履歴から、存在位置を時系列に整理したタイムチャートである請求項１〜３の何れかに記載の現場施工管理システム。
【発明の詳細な説明】
【０００１】
【発明の属する技術分野】
本発明は、情報（例えば、ＩＤコード等）を備えたＩＤタグを対象体（例えば、人や荷物）に着脱自在に設け、前記ＩＤタグからの前記情報を受信自在なアンテナを施工現場に設け、前記アンテナからの前記情報を記録自在な情報記録手段を設け、前記ＩＤタグからの前記情報を表示自在な表示手段を設け、前記情報記録手段にて記録された前記情報を基に、前記ＩＤタグの動向を検出自在な動向検出手段を設けてある現場施工管理システムに関する。
【０００２】
【従来の技術】
従来、この種の現場施工管理システムとしては、施工現場のゲートにアンテナを設けると共に、その現場に従事する人にＩＤタグを持たせ、前記人がゲートを通過する際に、アンテナで受けた該当ＩＤタグの情報と、その受信時の時間とを記録しておき、出退勤管理を行うものや、人の立ち入りを禁止した区域に設置したアンテナによって、その区域に近付く人のＩＤタグを検出し、警告を発すると言った入場制限管理を行うものがあった（例えば、特許文献１、特許文献２参照）。
【０００３】
【特許文献１】
特開２００１−１３４７９９号公報
【特許文献２】
特開平６−２９９７４２号公報
【０００４】
【発明が解決しようとする課題】
上述した従来の現場施工管理システムによれば、特定のアンテナの受信可能区域での、ＩＤタグを付けた人の存在の有無は、解るものの、その人のそれまでの動向や、それ以後の動向がつかみ難いものである。
即ち、特定のＩＤタグの情報をゲートのアンテナで初めて受信することで、現場に入場したと判断すると共に、二度目に受信することで、現場から退場したと言う判断をすることになる。しかしながら、上述のように、アンテナで初めて受信した際には、現実には、ＩＤタグを持った人が、ゲートを通過して現場に入場する場合もあるが、ゲートに近付いてから入場せずに立ち去る場合もあり得る。勿論、現場からの退場に際しても同様の問題があり、結果的には、やはり、人がゲートに居て目視にて確認すると言ったことを併用する必要があった。
ましてや、現場では、人や材料や道具が、縦横無尽に行き来しているわけであるから、それらの動向を細かく認識する必要のある現場施工管理への適用には、更に解消されるべき問題があった。
【０００５】
従って、本発明の目的は、上記問題点を解消し、ＩＤタグからの情報と、受信したアンテナの位置情報と、受信時間の情報を有効に利用しながら、精度の高い施工管理に適用させることが可能な現場施工管理システムを提供するところにある。
【０００６】
【課題を解決するための手段】
請求項１の発明の特徴構成は、情報を備えたＩＤタグを対象体に着脱自在に設け、前記ＩＤタグからの前記情報を受信自在なアンテナを施工現場に設け、前記アンテナからの前記情報を記録自在な情報記録手段を設け、前記ＩＤタグからの前記情報を表示自在な表示手段を設け、前記情報記録手段にて記録された前記情報を基に、前記ＩＤタグの動向を検出自在な動向検出手段を設けてある現場施工管理システムにおいて、前記アンテナは、異なる位置に複数配置し、前記ＩＤタグは、人に装着自在な人用ＩＤタグと、物品に装着自在な物用ＩＤタグとを設け、前記情報記録手段は、前記アンテナで受信した前記ＩＤタグからの前記情報と、その受信の際の時間情報とを対応させて記録自在に構成してあり、前記動向検出手段は、前記各アンテナ毎に受信した前記ＩＤタグの前記情報と、前記時間情報とを基に、夫々の前記ＩＤタグの動向を検出自在に構成してあり、前記情報記録手段に記録されたデータと、前記動向検出手段で検出されたデータとを基に、現場施工管理に必要な管理情報を提供自在な管理情報提供手段を設けてあるところにある。
【０００７】
請求項１の発明の特徴構成によれば、異なる複数箇所それぞれに配置されたアンテナによって、異なる箇所毎に、前記ＩＤタグ情報を入手することができ、施工現場内のどのアンテナの位置に、該当するＩＤタグが位置しているかを認識することが可能となる。即ち、アンテナの位置を、施工現場の各施工個所に対応させておけば、該当するＩＤタグをつけた対象体が、どの施工個所に、何時から何時の間に存在していたかを前記動向検出手段によって検出することが可能となる。
そして、ＩＤタグに人用と物用とを用意してあるから、上述のようにＩＤタグの動向を、人と物の動向として各別に検出することが出来るようになる。
具体例を挙げて説明すると、例えば、人用ＩＤタグを付けた鉄筋工（鉄筋を組む立てる作業員を言う）と、物用ＩＤタグを付けた鉄筋との動向を検出する中で、鉄筋組み立て施工個所に設置されたアンテナにおいて両ＩＤタグが共に検出されている時間帯があれば、前記鉄筋組み立て施工個所で、該当施工が実施されていることが解る。また、同様の鉄筋工のＩＤタグが、鉄筋組み立て施工の予定の無い施工個所に設置されたアンテナで検出されている状況においては、鉄筋を組み立てるという正規の作業は実施しておらず、例えば、移動していると言うことが解る。また、この場合でも、同じ箇所で鉄筋に付けたＩＤタグも検出されるなら、鉄筋の運搬中であることが解る。
この様に、人と物と時間の情報が各別に得られ、それらの情報から、例えば、「品質管理」、「コスト管理」、「工程管理」、「安全管理」、「環境管理」等の様々な施工管理を行うことが可能となる。
そして、これらの管理に必要な管理情報（例えば、人と存在場所との関係を示すタイムチャート等）を、前記管理情報提供手段によって提供することができるから、より簡単に、迅速に、精度良く施工管理を行うことが可能となる。
【０００８】
請求項２の発明の特徴構成は、前記物用ＩＤタグは、材料用ＩＤタグと施工道具用ＩＤタグとを備えてあるところにある。
【０００９】
請求項２の発明の特徴構成によれば、請求項１の発明による作用効果を叶えることができるのに加えて、物の存在を、材料と施工道具の各別な情報として認識することが可能となり、より精度の高い施工管理を実施することが可能となる。
具体例として、前述の鉄筋を組み立てる配筋作業を例に挙げて説明すると、配筋作業は、鉄筋工（人）が、鉄筋（材料）を組み上げながら、結束具（道具）を用いて鉄筋どうしの交差部分に結束線を巻き付けて一体に組み立てるものであるが、配筋作業が実施されている状態では、これら人・材料・道具が同じ施工個所に存在する。この様な状態を、前記アンテナからの情報によって検出すれば、より正確に施工時間を割り出すことができる訳である。
【００１０】
請求項３の発明の特徴構成は、前記各ＩＤタグの詳細情報を納めたデータベースを設け、前記表示手段は、情報表示要求に伴って前記データベースの該当するＩＤタグに係わる詳細情報を表示自在に構成してあるところにある。
【００１１】
請求項３の発明の特徴構成によれば、請求項１又は２の発明による作用効果を叶えることができるのに加えて、前記表示手段によって表示する内容は、最低限、検出されたＩＤタグを判別する事項（例えば、ＩＤコードや、名称等）があれば良いわけであるが、本発明によれば、そのＩＤタグの詳細情報までも表示することができ、より迅速な施工管理を実現することが可能とある。
即ち、前記ＩＤタグの詳細情報とは、ＩＤタグそのものの詳細情報のみならず、前記データベースでリンクする情報の全てを対象とできる。例えば、該当するＩＤタグが、人用ＩＤタグであるならば、そのＩＤタグを付けた人の詳細情報であったり、該当するＩＤタグが、物用ＩＤタグであるならば、そのＩＤタグを付けた材料の成績証明書であったり、その材料の入荷伝票であったり、道具なら耐用年数であったり、所有者であったりと言う詳細情報を表示することができる。
従って、それらの該当するＩＤタグに係わる詳細情報を参酌して、幅の広い施工管理に役立てることができる。
【００１２】
請求項４の発明の特徴構成は、前記管理情報は、所定のアンテナの情報検出履歴から、そのアンテナの情報検出領域に存在したＩＤタグを時系列に整理したタイムチャートであるところにある。
【００１３】
請求項４の発明の特徴構成によれば、請求項１〜３の何れかの発明による作用効果を叶えることができるのに加えて、該当するアンテナを設置してある場所（又は、施工個所）毎に、どの様な人（又は、どの様な物）が、何時から何時まで存在していたかという情報を、前記タイムチャートで、非常に解り易い状態で認識することができ、施工管理の効率アップを図ることが可能となる。
【００１４】
請求項５の発明の特徴構成は、前記管理情報は、所定のＩＤタグについて、各アンテナの情報検出履歴から、存在位置を時系列に整理したタイムチャートであるところにある。
【００１５】
請求項５の発明の特徴構成によれば、請求項１〜３の何れかの発明による作用効果を叶えることができるのに加えて、該当するＩＤタグを取り付けた対象体（人、又は、物等）が、どのアンテナの位置（又は、どの施工個所）に、何時から何時まで存在していたかという情報を、前記タイムチャートで、非常に解り易い状態で認識することができ、施工管理の効率アップを図ることが可能となる。
【００１６】
【発明の実施の形態】
以下に本発明の実施の形態を図面に基づいて説明する。
【００１７】
図４は、本発明の現場施工管理システムの一つの実施形態を示すもので、この現場施工管理システム（以後、単にシステムと言う）Ｓは、施工現場内の複数箇所に各別に設置された複数のアンテナ１と、施工現場に出入りする人Ｖ１や物（材料Ｖ２ａや施工道具Ｖ２ｂ）Ｖ２等の対象体Ｖにそれぞれ取り付けたＩＤタグ２と、前記アンテナ１で受信した各ＩＤタグ２の情報を記録すると共に各種解析を行って表示自在なメインコンピュータ３とを設けて構成してある。尚、アンテナ１とメインコンピュータ３とは、有線・無線に拘わらず、互いに、通信自在に連結されている。
【００１８】
前記アンテナ１は、施工現場内の、例えば、ゲート部分や、図１や図２に示すように、建築中の建物Ｂ内においては、各部屋Ｂ１や出入り口Ｂ２や、通路Ｂ３毎に、それぞれ設置してある。また、これらのアンテナ１の配置計画は、設置対象部４の間取りや、広さ等の環境条件、又は、工事の進捗に伴う環境変化等によって、前記対象体Ｖの動向を検出しやすい配置に適宜設定される。
そして、基本的な配置は、隣接するアンテナ１どうしの情報検出領域１Ａが、多少ラップするような配置が好ましい。
【００１９】
アンテナ配置の例を示すと、図３の平面図に示す通りである。
図３（イ）のアンテナ配置は、アンテナ１の情報検出領域１Ａに比べて広い大平面範囲の設置対象部４に設置されるような場合で、しかもその平面範囲内のどの部分に前記対象体Ｖが位置しているかを検出する必要があるような場合に適用することがある配置で、設置対象部４内に複数のアンテナ１を設置してあり、隣接するアンテナ１の情報検出領域１Ａどうしが、端部で重なるように配置されている。この配置によれば、設置対象部４内での対象体Ｖの位置特定が実施し易く、各情報検出領域１Ａ毎の施工内容と対応させて、より詳細な対象体Ｖの動向を検出することが可能となる。
図３（ロ）のアンテナ配置は、設置対象部４が例えば小部屋のように、対象体Ｖの位置を特定し易いような場合に適用することがある配置でる。具体的には、設置対象部４に対象体Ｖが出入りする際に必ず通過する出入り口Ｂ２を主として配置してある。
【００２０】
尚、アンテナ１には、コントローラ１Ｂが設けてあり、このコントローラ１Ｂによって一定時間間隔で交信を試みるように構成してある。その交信によって情報検出領域１ＡにあるＩＤタグ２からＩＤコードの情報が返信されると、前記コントローラ１Ｂによって、前記ＩＤコードの情報に交信時間情報を付加した送信情報をメインコンピュータ３に送信する。この際、送信情報は、アンテナ１のメモリー内に一時的に記録しておき、複数の送信情報をまとめてメインコンピュータ３に送信するように構成してもよい。
【００２１】
前記ＩＤタグ２は、図４に示すように、取り付ける対象体Ｖによってそれぞれ専用の物が用意してあり、人Ｖ１に取り付けるための人用ＩＤタグ２Ａと、物Ｖ２に取り付けるための物用ＩＤタグ２Ｂとがある。また、物用ＩＤタグ２Ｂは、材料Ｖ２ａに取り付けるための材料用ＩＤタグ２Ｂａと、施工道具Ｖ２ｂに取り付けるための施工道具用ＩＤタグ２Ｂｂとに細分されている。
そして、それぞれのＩＤタグ２は、施工現場への入場に際して該当する対象体Ｖに取り付けられる。具体的には、人用ＩＤタグ２Ａは、例えば、対象とする人Ｖ１が現場入場教育を受ける際に、ヘルメットや作業服等、交信し易い箇所に取り付けることが考えられ、物用ＩＤタグ２Ｂは、該当物Ｖ２が現場に搬入された際に、両面接着テープ等によって取り付けることが考えられる。
【００２２】
また、ＩＤタグ２は、アンテナからの交信によってのみ返信するように構成されている。
尚、各ＩＤタグ２に記録されている情報は、予め、前記メインコンピュータ３のデータベースにも保存してあり、該当タグからの情報と照合して、そのタグを特定できるようにしてある。
【００２３】
前記メインコンピュータ３は、図４に示すように、各種制御を行う制御部３Ａと、各種情報を読み書き自在に備えた情報記録部（情報記録手段に相当）３Ｂと、アンテナ１や通信ネットワークＷと情報通信自在に接続する情報通信部３Ｃと、ディスプレー（表示手段に相当）３Ｄ、入力部３Ｅとを備えて構成してある。
また、メインコンピュータ３には、前記制御部３Ａと前記情報記録部３Ｂとを主たる構成とするデータベースＤが構築してあり、そのデータベースＤの内容は、情報通信部３Ｃを介しては、前記アンテナ１との交信や、異なるコンピュータとの通信によって最新状態に更新される。
【００２４】
前記制御部３Ａは、前記情報通信部３Ｃを介して通信された情報を、前記情報記録部３Ｂとの間で読み書きしたり、それらの情報をディスプレー３Ｄに表示させたりする一般的な制御を実施できるように構成してある他、データベースＤに記録した前記情報を基に、前記ＩＤタグ２の動向を検出自在な動向検出制御部（動向検出手段に相当）５、前記データベースＤに記録されたデータと、前記動向検出制御部５で検出されたデータとを基に、現場施工管理に必要な管理情報Ｎを提供自在な管理情報提供制御部（管理情報提供手段に相当）６等を備えて構成してある。
因みに、前記管理情報Ｎとは、例えば、図５に示すように、所定のアンテナ１の情報検出履歴から、そのアンテナ１の情報検出領域１Ａに存在したＩＤタグ２を時系列に整理したタイムチャートＮ１であったり、又は、所定のＩＤタグ２について、各アンテナ１の情報検出履歴から、存在位置を時系列に整理したタイムチャートＮ２を例に挙げることができる。勿論、これらをリストとして表示するものであってもよい。
【００２５】
前記データベースＤは、前記アンテナ１で受信した前記ＩＤタグ２からのＩＤコードや、その受信の際の時間情報Ｔとを対応させて記録自在に構成してある。また、データベースＤには、これらの情報の他、現場施工管理全般に係わる情報も記録されている。例えば、前記アンテナ１の設置箇所の位置情報や、その設置箇所で実施される施工情報や、工事関係者リスト情報や、各人Ｖ１毎に扱う材料Ｖ２ａや施工道具Ｖ２ｂを対応させた情報等さまざまなものがある。そして、例えば、特定のＩＤタグ２に対する情報表示要求を受けると、前記データベースＤの該当するＩＤタグ２にリンクした詳細情報をディスプレー３Ｄに表示することができる。
【００２６】
次に、当該施工管理システムＳによる対象体Ｖの動向管理の一例を説明する。尚、対象体Ｖには、予め、ＩＤタグ２が装着されているものとして以後の説明を進める。
【００２７】
［１］  図４に示すように、人Ｖ１や材料Ｖ２ａや施工道具Ｖ２ｂが施工現場に入場すると、施工現場のゲートＧに設置された複数のアンテナ１ａ（図１参照）によって各ＩＤタグ２が検出される。その検出情報（検出したＩＤコード）７に、検出した時刻を示す時間情報Ｔを合わせてアンテナ１ａからメインコンピュータ３に送信される。そして、メインコンピュータ３においては、前記検出情報７と時間情報Ｔに、それらの情報を検出したアンテナ１ａのアンテナ情報（アンテナコード）８を合わせて記録される。尚、ゲートＧに各対象体Ｖが接近したことは、上述のデータで判別できるものの、確かに入場したかについては、前記複数のアンテナ１ａでの各時間情報Ｔのズレから判定することができる。
【００２８】
［２］  図２に示すように、施工現場に入場した対象体Ｖが、建物Ｂに移動するに伴って、建物Ｂの出入り口Ｂ２に設置されたアンテナ１ｂによって各ＩＤタグ２が検出され、上述の記載と同様のプロセスによって、検出情報７、時間情報Ｔ、アンテナ情報８がメインコンピュータ３に記録される。
【００２９】
［３］  図２に示すように、前記対象体Ｖが更に進行して、部屋Ｂ１内に入ると、該当するＩＤタグ２を検出するアンテナが１ｂから１ｃに替わる。即ち、部屋Ｂ１内に設置したアンテナ１ｃによってＩＤタグ２が検出される。
そして、これらの情報は、上述の記載と同様のプロセスによって、検出情報７、時間情報Ｔ、アンテナ情報８がメインコンピュータ３に記録されているから、その情報を図５に示すようなタイムチャートＮ１，Ｎ２に表示することで、一目瞭然で、対象体の存在位置、及び、移動経路が判る。
また、部屋Ｂ１内に対象体Ｖが位置している情報のみならず、複数設けられたアンテナ１ｃを見ることで、部屋Ｂ１内のどの部分に対象体Ｖが存在しているかについても特定することができる。勿論、これらの判断は、リアルタイムで行うことも可能であるが、前記データベースＤには、全ての情報が納められているので、後から、各対象体Ｖの動向を調べることもできる。
因みに、前記対象体Ｖが人Ｖ１である場合には、人の動向を示すものでり、同様に、材料Ｖ２ａである場合には材料の動向を、施工道具Ｖ２ｂである場合には施工道具の動向を示すものである。従って、これらの組み合わせ状況から、該当する部分での施工状況を推定することが可能となる。
【００３０】
次に、これらの情報を用いた運用について、その例を挙げて説明する。
【００３１】
（品質管理への利用）
建設においては、例えば、防水下地のできばえは、その上に施工されるアスファルト防水の品質に大きな影響をもたらすことが多いが、下地上に防水層を形成してしまった後から、下地の出来栄えを観察することは困難である。しかしながら、上述のような各タイムスケジュールを見ることによって、人と材料と施工道具の動向が、施工対象部で、どのような順序で行われ、どのようなインターバルをしたかを知ることができ、その結果から、所定の施工手順および所定の施工歩掛かりに合致した施工が実施されたかを容易に判断することができる。
【００３２】
（コスト管理への利用）
労務職に対して施工道具を貸与して施工を進めるような場合があるが、貸与した施工道具が、無駄なく使用されているかと言う判断は、人用ＩＤタグ２Ａと施工道具用ＩＤタグ２Ｂｂとの動向を見ることで実施できる。即ち、対象部分に、道具だけが存在している状態にあっては、その道具は使用されてないことになる。このように、無駄なく施工道具が使用されることを徹底することで、コスト削減を図ることが可能となる。
また、一つの施工道具を、複数の人が使用するような場合、上述のタイムスケジュールを見ることで、事後においても、各人ごとの振り分けを容易に実施することができ、コスト管理を実施し易い。
【００３３】
（工程管理への利用）
人のみの動向情報からでは、施工している状態であるか、待機している状態であるのかを判定するのは困難である場合が多いが、材料や施工道具の動向を合わせて見ることによって、工事の手待ち状態を迅速に知り、対策を講じることが可能となる。その結果、工程の遅延の防止を図ることが可能となる。
【００３４】
（安全管理への利用）
人のみの動向情報からだけでも、施工現場内の危険区域に近付いたことは判別でき、警報等を出す安全管理は可能であるが、人と物の両動向情報を見れば、該当する人が、どんな作業のために近づいて来たのかについて特定することも可能となり、その結果によれば、例外的にその区域への進入を認めると言ったきめの細かい安全管理を実践することが可能となる。また、仮に、事故が発生してしまった場合でも、前記タイムスケジュールから、どの様な作業中に事故が発生したかまで判定することが可能で、事故原因の分析を行う上で有効となり、事故撲滅の対策に利用することができる。
【００３５】
（環境管理への利用）
施工に伴って生じる残材の処理は、物（残材）の動向情報から、適切な場所に廃棄されているかと言ったことは判定される。しかし、同種の残材が、複数の施工個所から発生し、それぞれ異なった担当者によって別々に廃棄するような場合に、何れかの人が不適切に廃棄したとしても、その責任の所在がはっきりしないと言うことがある。そこで、物（残材）の動向情報に加えて、上述のように、人の動向情報を入手できることにより、誰が何を何時どこへ廃棄したのかまでつかむことができ、不正な廃棄を未然に防止することが可能となる。
【００３６】
このように、本実施形態の現場施工管理システムによれば、リアルタイムによる現場施工管理、及び、フィードバックによる現場施工管理の何れにも効果的に対応することが可能である。
【００３７】
〔別実施形態〕
以下に他の実施の形態を説明する。
【００３８】
〈１〉  前記アンテナ１は、先の実施形態で説明したものに限るものではなく、例えば、アンテナ１による交信に対するＩＤタグ２からの返信時間や、返信電波の強さを検出する返信状況検出機構をアンテナ１に設けてあれば、その返信状況検出機構からの情報をもとに、該当するアンテナ１と対象体Ｖとの相対位置を、より正確に求めることが可能となる。また、アンテナの能力や形状等は、公知の技術レベルにおける各種のものを採用することが可能で、このような例を含めてアンテナと総称する。
〈２〉  前記ＩＤタグ２は、先の実施形態で説明したようにアンテナからの交信を受けて返信するように構成されたものに限るものではなく、例えば、自発信すべく構成されたものであってもよい。従って、バッテリー内蔵型であってもよい。また、ＩＤタグにメモリーを備えさせることで、リードオンリータイプに替えて、リードライトタイプとして構成することが可能である。この場合、交信を行った該当アンテナの情報や、交信時の時間情報等を、前記メモリーに記憶させておき、複数の情報が溜まった状態で、最寄りのアンテナ１にそれらの情報を送信して、メインコンピュータ３のデータベースに記録することも可能である。
この様なものを含めて、ＩＤタグと総称する。
〈３〉  前記管理資料は、先の実施形態で説明したタイムチャートＮ１，Ｎ２に限るものではなく、例えば、各人毎に集計した実働リスト等であってもよく、それらを総称して管理資料という。
【００３９】
尚、上述のように、図面との対照を便利にするために符号を記したが、該記入により本発明は添付図面の構成に限定されるものではない。
【図面の簡単な説明】
【図１】現場管理状況を説明する斜視図
【図２】現場管理システムを示す概念図
【図３】アンテナの配置例を示す平面図
【図４】現場管理システムを示す概念図
【図５】管理情報の一例を示す説明図
【符号の説明】
１      アンテナ
１Ａ    情報検出領域
２      ＩＤタグ
２Ａ    人用ＩＤタグ
２Ｂ    物用ＩＤタグ
２Ｂａ  材料用ＩＤタグ
２Ｂｂ  施工道具用ＩＤタグ
３Ｂ    情報記録部（情報記録手段に相当）
３Ｄ    ディスプレー（表示手段に相当）
５      動向検出制御部（動向検出手段に相当）
６      管理情報提供制御部（管理情報提供手段に相当）
Ｄ      データベース
Ｎ      管理情報
Ｎ１    タイムチャート
Ｎ２    タイムチャート
Ｔ      時間情報
Ｖ      対象体
【図１】
2004199243.tif 000003
【図２】
2004199243.tif 000004
【図３】
2004199243.tif 000005
【図４】
2004199243.tif 000006
【図５】
2004199243.tif 000007